(57)【要約】【課題】洗浄水噴射装置や駆動モータなどを用いることなく、簡単、かつ、安価な構成で、スクリーンの目詰まりを防止できるようにする。【解決手段】塵芥Ｘによってスクリーン１７に目詰まりが生じてドラム１６が停止した場合、側壁４ａから越流する水を受水位置Ａの水溜め部材２０で受水し、受水された水の重量が設定値に達するまで、水留め部材２０を、操作機構部２５によって受水位置Ａに待機させる。そして、受水された水の重量が設定値を越えると、操作機構部２５によって、水溜め部材２０の位置保持を解除して、水溜め部材２０を、溜まった水の荷重によって受水位置Ａから排水位置Ｂへ一気に移動させる。この移動によって、ドラム１６を急回動させて、スクリーン１７から塵芥Ｘを除去する。【選択図】図２
2012144945.tif 000002
【特許請求の範囲】
【請求項１】
周面にスクリーン（１７）が配置され、水流の方向のみに回動するように、水路（１）を形成する両側の側壁（４ａ，４ｂ）に支持されるドラム（１６）と、
各側壁（４ａ，４ｂ）のうち少なくともいずれか一方に配設され、塵芥（Ｘ）によってスクリーン（１７）に目詰まりが生じて、ドラム（１６）が停止した場合に側壁（４ａ，４ｂ）から越流する水を受水する受水位置（Ａ）から、受水して溜まった水を外部へ排水する排水位置（Ｂ）へ、溜まった水の荷重によって移動する水溜め部材（２０，２０Ａ）と、
自重によって空状態の水溜め部材（２０，２０Ａ）を受水位置（Ａ）に待機するように位置保持させるつり合い部材（２１，２１Ａ）と、
水溜め部材（２０，２０Ａ）に溜まる水の重量が設定値になるまで、水溜め部材（２０，２０Ａ）を受水位置（Ａ）に待機するように位置保持する一方、水溜め部材（２０，２０Ａ）に溜まる水の重量が設定値を越えると、受水位置（Ａ）における水溜め部材（２０，２０Ａ）に対する位置保持を解除するように構成される操作機構部（２５）と、
該操作機構部（２５）によって水溜め部材（２０，２０Ａ）に対する位置保持を解除した際に、水溜め部材（２０，２０Ａ）が受水位置（Ａ）から排水位置（Ｂ）へ移動する動作に応じて、前記塵芥（Ｘ）によって停止した状態のドラム（１６）が回動するように構成されるドラム回動機構部（３０）とを備えたことを特徴とする除塵装置。
【請求項２】
前記ドラム回動機構部（３０）は、ドラム（１６）の支軸（１６２）、水溜め部材（２０）、操作機構部（２５）が、滑車装置によって連結されて構成されることを特徴とする請求項１に記載の除塵装置。
【発明の詳細な説明】
【技術分野】
【０００１】
本発明は、例えば、水力発電所、用水路、排水路などの水路に配置され、水路の塵芥を除去する除塵装置に関する。
【背景技術】
【０００２】
従来のこの種の除塵装置としては、例えば、水路に対して直交方向に浸漬される回動自在の円筒籠状のリングスクリーンと、該リングスクリーンの周面に配置されるネットスクリーンと、求心方向に起立するように、ネットスクリーンの内周側に配置される平板状の複数のすくい部と、リングスクリーンの上方から回動力を付与する駆動機構部と、リングスクリーンの軸心に対して平行するように、リングスクリーンの外周面の近傍位置に取り付けられ、リングスクリーンの外周面に付着した塵芥を噴射された水圧によって取り除く洗浄用スプレー（洗浄水噴射装置）と、該洗浄用スプレーに平行するように、リングスクリーンの内側上部に貫設された排出用トラフと、リングスクリーンの下流側に配置され、リングスクリーン内に水流を導くための曲面を有する水流ガイド部材とを備えたものが公知になっている（特許文献１参照）。
【０００３】
該除塵装置によれば、リングスクリーンを駆動機構部によって回動させると、水流ガイド部材に衝突した水流がリングスクリーンの内部に導入される。そして、リングスクリーンの内部に導入された水流は、水路内の水流と合流した後、ネットスクリーンを通過して水路に戻される。この際、水流に含まれる塵芥が、リングスクリーンのすくい部によって捕捉される。そして、塵芥を捕捉したすくい部が、リングスクリーンの回動によって水面から表れると、すくい部に捕捉された塵芥が排出用トラフに落下して回収される。一方、ネットスクリーンに付着した塵芥は、洗浄用スプレーの洗浄水の水圧でネットスクリーンから剥離されて、強制的に排出用トラフに回収されるようになる。
【先行技術文献】
【特許文献】
【０００４】
【特許文献１】特開平１１−３５０４５９号公報
【発明の概要】
【発明が解決しようとする課題】
【０００５】
しかしながら、従来の前記除塵装置の場合、ネットスクリーンの周面に付着した塵芥を、洗浄用スプレーの洗浄水の水圧によって、ネットスクリーンから剥離して、ネットスクリーンの網目の目詰まりを防止するようにしているので、洗浄用スプレーが別途必要となる分、コスト高になるという問題がある。
【０００６】
そこで、本発明は、前記問題を鑑み、洗浄水噴射装置や駆動モータなどを用いることなく、簡単で、かつ、安価な構成によって、ネットスクリーンの目詰まりを防止することができる除塵装置を提供することを目的とする。
【課題を解決するための手段】
【０００７】
本発明に係る除塵装置は、周面にスクリーン１７が配置され、水流の方向のみに回動するように、水路１を形成する両側の側壁４ａ，４ｂに支持されるドラム１６と、各側壁４ａ，４ｂのうち少なくともいずれか一方に配設され、塵芥Ｘによってスクリーン１７に目詰まりが生じて、ドラム１６が停止した場合に側壁４ａ，４ｂから越流する水を受水する受水位置Ａから、受水して溜まった水を外部へ排水する排水位置Ｂへ、溜まった水の荷重によって移動する水溜め部材２０，２０Ａと、自重によって空状態の水溜め部材２０，２０Ａを受水位置Ａに待機するように位置保持させるつり合い部材２１，２１Ａと、水溜め部材２０，２０Ａに溜まる水の重量が設定値になるまで、水溜め部材２０，２０Ａを受水位置Ａに待機するように位置保持する一方、水溜め部材２０，２０Ａに溜まる水の重量が設定値を越えると、受水位置Ａにおける水溜め部材２０，２０Ａに対する位置保持を解除するように構成される操作機構部２５と、該操作機構部２５によって水溜め部材２０，２０Ａに対する位置保持を解除した際に、水溜め部材２０，２０Ａが受水位置Ａから排水位置Ｂへ移動する動作に応じて、前記塵芥Ｘによって停止した状態のドラム１６が回動するように構成されるドラム回動機構部３０とを備えたことを特徴とする。
【０００８】
この場合、塵芥Ｘによってスクリーン１７に目詰まりが生じてドラム１６の回動が停止した場合、水路１を形成する側壁４ａ，４ｂから水が越流するようになり、この水が、つり合い部材２１，２１Ａの自重によって受水位置Ａに位置保持された水溜め部材２０，２０Ａで受水されることになる。この際、受水された水の重量が設定値に達するまで、水留め部材２０，２０Ａは、操作機構部２５によって受水位置Ａに待機するように位置保持される。すなわち、操作機構部２５によって位置保持された水溜め部材２０，２０Ａに水が溜まることで位置エネルギーが蓄積される。そして、水溜め部材２０，２０Ａにおいて受水された水の重量が設定値を越えると、操作機構部２５によって水溜め部材２０，２０Ａの位置保持が解除されて、水溜め部材２０，２０Ａが、溜まった水の荷重によって受水位置Ａから排水位置Ｂへ一気に移動するようになる。すなわち、蓄積された水溜め部材２０，２０Ａの位置エネルギーが瞬時に放出される。そして、水溜め部材２０，２０Ａの受水位置Ａから排水位置Ｂへ瞬時に移動（位置エネルギーの瞬時の放出）すると、ドラム回動機構部３０によって、停止した状態のドラム１６が急回動するようになり、この急回動によってドラム１６が受ける振動が、ドラム１６のスクリーン１７に付着した塵芥Ｘに伝達されて、スクリーン１７から塵芥Ｘが離れるようになる。つまり、塵芥Ｘによるスクリーン１７の目詰まりを防止できるとともに、ドラム１６の回動が開始されるようになる。一方、排水位置Ｂにおいて、水溜め部材２０，２０Ａの水が排水された後、水溜め部材２０，２０Ａは空状態になるので、つり合い部材２１，２１Ａによって、排水位置Ｂから受水位置Ａに移動（復帰）するようになる。すなわち、水溜め部材２０，２０Ａは、つり合い部材２１，２１Ａによって、側壁４ａ，４ｂから越流する水を受水できる受水位置Ａに待機するように位置保持される。つまり、水溜め部材２０，２０Ａは、スタンバイ位置に戻って待機したことになる。
【０００９】
また、本発明によれば、前記ドラム回動機構部３０は、ドラム１６の支軸１６２、水溜め部材２０、操作機構部２５が、滑車装置によって連結されて構成されるのが好ましい。
【発明の効果】
【００１０】
以上説明したように、本発明によれば、ドラムのスクリーンに塵芥が付着して目詰まりして、ドラムが回動停止状態になった場合、水路を形成する側壁から越流する水の重量を利用して、塵芥によって停止した状態のドラムを急回動させるようにしたので、簡単で、かつ安価な構成で、スクリーンの目詰まりを防止することができるとともに、ドラムの回動を再始動することができる。
【図面の簡単な説明】
【００１１】
【図１】本発明の一実施形態に係る除塵装置が設置される水力発電所の全体を示す概略構成図。
【図２】本発明の一実施形態に係る除塵装置の正常時（ドラム回動時）の状態を示す斜視図。
【図３】図２の除塵装置の正常時の状態を示す動作説明図。
【図４】本発明の一実施形態に係る除塵装置の異常時（ドラムの回動停止時）の状態を示す斜視図。
【図５】図４の除塵装置の異常時の状態を示す動作説明図。
【図６】図２の除塵装置の変形例を示し、つり合い部材としてつり合いバネ（弾性部材）を用いた除塵装置を示す概略構成図。
【図７】図２の除塵装置の変形例を示し、水槽を構成する側壁の上端部に排水溝を形成した除塵装置の斜視図。
【図８】図２の除塵装置の変形例を示し、水槽を構成する両側壁に回動自在に支持された水溜め部材を配置した除塵装置の斜視図。
【発明を実施するための形態】
【００１２】
本発明の一実施形態に係る除塵装置について図１〜図５を参照しながら説明する。なお、本実施形態では、水力発電所の水槽内に設置される除塵装置を例にとって説明する。また、変形例を含む図１〜図８において、各図を正面から見て、左側を、水路の下流側とし、右側を、水路の上流側とする。
【００１３】
ここで、本発明の一実施形態に係る除塵装置が設置される水力発電所の構成について、図１を参照して説明する。水路１の下流側に設置される水車発電機２と、該水車発電機２の上流側に配置される水槽３とを備えている。なお、図１においては、後述する操作機構部２５およびドラム回動機構部３０は省略している。
【００１４】
つぎに、水槽３の構成について図１および図２を参照して説明する。該水槽３は、左右の両側に立設された側壁４ａ，４ｂと、該側壁４ａ，４ｂに挟まれた領域に形成された水路底５とを備えている。そして、左側の側壁４ａの高さよりも、右側の側壁４ｂの高さは高くなるように設定されている。また、水路底５は、図１に示すように、水流が、後述するドラム１６の上部から多く流入するように、水流を上向きに変える流路変更部１０が形成されている。該流路変更部１０は、ドラム１６が水流によって回動できるように、ドラム１６の下側の円弧面に沿うように形成された半円形状の凹部１１と、該凹部１１よりも上流側に、凹部１１に連続して形成された凸部１２とを有している。そして、該凸部１２によって、水流が上向きに変更されて、ドラム１６の上側に多く流入するようになり、ドラム１６に強い回動力が与えられる。なお、ドラム１６の回動方向は、反時計方向に回動する。また、ドラム１６内に流入する水流は、ドラム１６の側方を経て下流側に向かうようになるので、ドラム１６内の塵芥をドラム１６の側方から排出できるようになり、ドラム１６内における塵芥の蓄積を防止することができる。
【００１５】
本実施形態に係る除塵装置１５は、図２〜図５に示すように、周面にスクリーン１７が配置され、水流の方向のみに回動するように、両側の側壁４ａ，４ｂに支持されるドラム１６と、該ドラム１６の下流側において、ドラム１６の外周面、すなわちスクリーン１７に対して接線方向に当接するスクレーパ１８と、各側壁４ａ，４ｂのうち少なくともいずれか一方に配設される水溜め部材２０と、空状態の水溜め部材２０を、自重によって受水位置Ａに待機するように位置保持するためのつり合い部材２１と、水溜め部材２０に溜まる水の重量が設定値になるまで、水溜め部材２０を受水位置Ａに待機するように位置保持する一方、水溜め部材２０に溜まる水の重量が設定値を越えると、受水位置Ａにおける水溜め部材２０に対する位置保持を解除する操作機構部２５と、水溜め部材２０に対する位置保持を解除した際に、水溜め部材２０が受水位置Ａから排水位置Ｂへ移動する動作に応じて、前記塵芥によって停止した状態のドラム１６が回動するように構成されるドラム回動機構部３０とを備えている。
【００１６】
ドラム１６は、図３に示すように、一対の円板状の支持板１６０，１６０と、各支持板１６０，１６０の中央部を貫通した支軸１６１と、各支持板１６０，１６０の周面に固着されたスクリーン１７とを有している。
【００１７】
ドラム１６の支軸１６１は、図３に示すように、内軸１６２０と、該内軸１６２０に対して同心状に外挿される外軸１６２１とを備えている。そして、内軸１６２０の一端部に固着されたドラム回動用滑車１６２３と、該ドラム回動用滑車１６２３の後側に固着された周面に等間隔に形成された複数の歯１６２４ａ，…を有する歯車１６２４と、外軸１６２１の一端部側の開口周縁部の内側に回転自在に支持され、歯車１６２４の歯１６２４ａ，…に対して常時係止するように弾性付勢された係止爪１６２５とを有している。
【００１８】
そして、内軸１６２０の歯車１６２４の歯１６２４ａは、ドラム１６の正方向（水流の方向）の回動に対して、外軸１６２１の係止爪１６２５と係止するように、径外方向に位置する係止部１６２４ｂと、ドラム１６の逆方向の回動に対して外軸１６２１の係止爪１６２５の円弧面を摺動する円弧状の摺動部１６２４ｃとを有している。また、外軸１６２１の係止爪１６２５は、歯車１６２４の歯１６２４ａの摺動部１６２４ｃに沿うように形成された円弧状の摺動面１６２５ａと、歯車１６２４の歯１６２４ａの係止部１６２４ｂに係止するように形成された先端部１６２５ｂとを有している。
【００１９】
すなわち、通常時は、外軸１６２１が正方向（図３の矢印方向）に回動することで、ドラム１６は、正方向に回動するようになっている。具体的には、外軸１６２１の係止爪１６２５の摺動面１６２５ａが、歯車１６２４の各歯１６２４ａの摺動部１６２４ｃを摺動することで、ドラム１６が正方向に回動している。一方、ドラム１６の回動が塵芥付着によって停止した場合、ドラム回動機構部３０によって、内軸１６２０が正方向に回動するようになる。この際、外軸１６２１の係止爪１６２５の先端部１６２５ｂと内軸１６２０の歯車１６２４の係止部１６２４ｂとが係止することで、内軸１６２０と外軸１６２１とが一体的に正方向に回動することで、ドラム１６が回動するようになる。
【００２０】
スクリーン１７は、網体からなり、網目が水流に対して直交する方向に配置される。そして、スクリーン１７の網目１７ａ，…を水流が通過する際、網目１７ａ，…よりも大きい塵芥が水圧によってスクリーン１７の外周面に付着することになり、ドラム１６の回動によって、スクリーン１７の外周面に付着した塵芥が水面から表れるようになり、ドラム１６の上側を通過する水流によって、水面から表出された塵芥がスクレーパ１８の上面に移動するようになる。
【００２１】
スクレーパ１８は、平面視矩形状を呈しており、一方の側端部が、左側の側壁４ａの上面に固設され、他方の側端部が、右側の側壁４ｂの上部に固設されている。そして、図示していないが、ドラム１６の外周面（スクリーン１７）に接線方向に当接する端部が櫛歯状に形成されている。この端部が、ドラム１６の外周面に対して接線方向に当接することで、ドラム１６のスクリーン１７に付着した塵芥が、ドラム１６の回動と、水流とによって押し流されて、スクレーパ１８の上面に移動することになる。
【００２２】
水溜め部材２０は、有底円筒状の容器からなり、上流側に配置された第１ガイド筒２０１を昇降できるように、後述する水溜め部材用滑車３０５、および該水溜め部材用滑車３０５に巻き掛けられた紐状体Ｒ１によって吊り下げられている。また、空状態の水溜め部材２０は、つり合い部材２１の荷重によって受水位置Ａに位置保持される。一方、満水状態の水溜め部材２０は、後述する第２ガイド筒の下端部に位置するつり合い部材２１を、第２ガイド筒の上端部に引き上げられる重量を有している。そして、水溜め部材２０は、左側の側壁４ａの上部において、左側の側壁４ａから越流する水を受水する受水位置Ａと、左側の側壁４ａの下部において、受水した水を外部へ排水する排水位置Ｂとを移動（昇降移動）するようになっている。
【００２３】
第１ガイド筒２０１は、後述する樋２０２の排水部２０２ｂの真下に、水溜め部材２０の上面開口が位置しており、樋２０２から導水された水が水溜め部材２０に貯水できるようになっている。また、第１ガイド筒２０１の下部に、貯水された直立状態の水溜め部材２０を傾けて排水するための傾斜部２０１０が形成されている。したがって、第１ガイド筒２０１の内径は、樋２０２から導水された水を溜められる直立姿勢から、溜めた水を第１ガイド筒２０１の下部開口を経て外部へ排水できる傾倒姿勢をとれるような大きさに設定されている。
【００２４】
また、水溜め部材２０の上面開口部の上方には、左側の側壁４ａの上部に取り付けられた樋２０２が配置されている。該樋２０２は、平面視Ｌ字形状を呈しており、側壁４ａからの越流を水溜め部材２０に導水できるように、上面が開口されている。具体的に説明すると、樋２０２は、左側の側壁４ａの側面上部に沿う受水部２０２ａと、該受水部２０２ａの下流側端部から側壁４ａに対して直交する方向に延出される排水部２０２ｂとを有している。そして、側壁４ａから越流される水量をできるかぎり多く貯水できるように、排水部２０２ｂよりも受水部２０２ａの長さを大きく設定している。
【００２５】
つり合い部材２１は、円柱形状を呈したつり合い錘からなり、下流側に配置された第２ガイド筒２１０内を昇降できるように、後述するつり合い部材用滑車３０６、および該つり合い部材用滑車３０６に巻き掛けられた紐状体Ｒ１によって吊り下げられている。そして、つり合い部材２１は、空状態の水溜め部材２０を、第２ガイド筒２１０の下端部から上端部へ引き上げられる重量を有している。すなわち、空状態の水溜め部材２０を受水位置Ａに位置保持できる重量（側壁４ａから越流した水を受水できるスタンバイ状態に保持できる重量）を有している。
【００２６】
第２ガイド筒２１０は、正常時は、第２ガイド筒２１０の下端部に位置するつり合い部材２１が、ドラム１６の回動停止時に、水溜め部材２０の荷重によって第２ガイド筒２１０の上端部に引き上げられるように、つり合い部材２１の直線移動をガイドできる内径を有している。したがって、第２ガイド筒２１０の内径は、第１ガイド筒２０１の内径よりも小さく設定されている。
【００２７】
操作機構部２５は、右側の側壁４ｂに立設された下流側支柱２５０と、該下流側支柱２５０に回転自在に支持された蓄積用滑車２５１と、該蓄積用滑車２５１の周面に径外方向に形成された突起２５１ａ，…と、下流側支柱２５０の下流側に立設されたストッパ２５２とを有している。
【００２８】
ストッパ２５２は、逆Ｌ字形状を呈しており、右側の側壁４ｂの上面に立設される直状部２５２ａと、該直状部２５２ａの上端部から上流側に向かって延出される水平部２５２ｂと、該水平部２５２ｂの端部から垂下され、垂下状態を維持しようとする板バネからなる係止部２５２ｃとを備えている。そして、水溜め部材２０が所定重量に至る過程において、蓄積用滑車２５１の突起２５１ａ，…がストッパ２５２の係止部２５２ｃの下端部に圧接するようになっている。すなわち、水溜め部材２０の位置エネルギーが蓄積されるようになる。一方、水溜め部材２０の重量が所定重量に達すると、蓄積用滑車２５１の突起２５１ａ，…が、係止部（板バネ）２５２ｃの弾性に抗して、係止部２５２ｃを押し上げる。すなわち、蓄積用滑車２５１の突起部２５１ａ，…とストッパ２５２の係止部２５２ｃとの係止による蓄積用滑車２５１の停止状態が解除されて、蓄積用滑車２５１が水溜め部材２０の落下移動に伴って一気に回転するようになる。すなわち、水溜め部材２０の位置エネルギーが一気に放出されることになる。
【００２９】
ドラム回動機構部３０は、左側の側壁４ａの上面の上流側に立設された上流側支柱３０１と、左側の側壁４ａの上面の下流側に立設された下流側支柱３０２と、ドラム１６の支軸１６２に平行するように、右側の下流側支柱２５０と左側の下流側支柱３０２との先端部に架設された回転軸３０３と、上流側支柱３０１の先端部に回転自在に支持され、水溜め部材２０を昇降させる水溜め部材用滑車３０５と、下流側支柱２５０の先端部に回転自在に支持され、つり合い部材２１を昇降させるつり合い部材用滑車３０６と、回転軸３０３の下流側支柱３０２側に配置され、ドラム回動用滑車１６２３に回動エネルギーを伝達させるエネルギー伝達滑車３０７とを備えている。そして、受水位置Ａから排水位置Ｂへ移動する水溜め部材２０の直線運動が、水溜め部材用滑車３０５、つり合い部材用滑車３０６、ドラム回動用滑車１６２３、回転軸３０３、エネルギー伝達滑車３０７、ドラム回動用滑車１６２３を介してドラム１６の回転運動に変換される。
【００３０】
そして、水溜め部材２０を吊り下げるべく、紐状体Ｒ１の一端部が水溜め部材２０に連結されるとともに、水溜め部材用滑車３０５に上側から巻き掛け、そして、つり合い部材用滑車３０６に下側から上側に巻き掛けて、さらに、つり合い部材２１を吊り下げるべくつり合い部材用滑車３０６から下向きに引き出した他端部をつり合い部材２１に連結している。
【００３１】
上流側支柱３０１は、下流側支柱３０２よりもつり合い部材用滑車３０６の直径分高さが低くなっている。この理由としては、水溜め部材用滑車３０５からつり合い部材用滑車３０６に巻き掛けられる紐状体Ｒを水平に張設するためである。
【００３２】
エネルギー伝達滑車３０７は、その直径が、ドラム回動用滑車１６２３と同一径に設定されている。そして、無端紐状体Ｒ２が、ドラム回動用滑車１６２３とエネルギー伝達滑車３０７とに巻き掛けられている。すなわち、エネルギー伝達滑車３０７は、つり合い部材２１の昇降動作（直線運動）を、回転軸３０３および無端紐状体Ｒ２と共に、回転運動に変換する役目を担っている。
【００３３】
つぎに本実施形態に係る除塵装置の使用態様について図１〜図５を参照して説明する。まず、正常時、すなわち、水流が上流側からドラム１６の内部を通過して下流側に向かって流れる際、水面の塵芥Ｘは、図２に示すように、ドラム１６の上側を通過してスクレーパ１８に乗り上げる。一方、水中の塵芥Ｘは、ドラム１６のスクリーン１７に付着したまま、ドラム１６の回動によって水面に表れるようになり、ドラム１６の上側を通過する水流によって、スクリーン１７からスクレーパ１８に移動して乗り上げる。すなわち、正常時においては、スクリーン１７に付着した塵芥Ｘが、水流によって押し流されて、スクレーパ１８に移動する一方、水流がドラム１６の内部を通過して、ドラム１６が反時計方向に常時回動している。
【００３４】
つぎに、異常時、すなわち、多量の塵芥Ｘあるいは水流によってスクリーン１７からスクレーパ１８への移動が困難になる大きさを有する塵芥Ｘが、ドラム１６のスクリーン１７に付着した場合、これら塵芥Ｘの付着によって、ドラム１６のスクリーン１７の網目が塞がれて、水流がドラム１６内部を通過しなくなり、ドラム１６の回動が停止するようになる（図４参照）。この際、大半の水流は、同図に示すように、ドラム１６の上側を通過して下流側に向かうようになるので、ドラム１６よりも下流側において、左側の側壁４ａから越流した水が、樋２０２を伝って、つり合い部材２１によって受水位置（第１ガイド筒２０１の上面開口の位置）Ａに位置保持された水溜め部材２０に溜まるようになる。
【００３５】
そして、水溜め部材２０に溜まった水の重量が所定の設定値に達するまで、操作機構部２５の蓄積用滑車２５１の突起２５１ａ，…がストッパ２５２の係止部（板バネ）２５２ｃに圧接することによって、受水位置Ａにおける水溜め部材２０の位置は保持される。すなわち、蓄積用滑車２５１は回転することがなく、第１ガイド筒２０１の上面開口に位置した水溜め部材２０の位置エネルギーが蓄積される。そして、水溜め部材２０に溜まった水の重量が所定の設定値を超えた場合、図４の鎖線および図５に示すように、蓄積用滑車２５１の突起２５１ａ，…が弾性に抗してストッパ２５２の係止部２５２ｃを折り曲げて、水の溜まった水溜め部材２０の位置エネルギーが一気に放出されるようになり、つり合い部材２１が一気に引き上げられて、停止した状態のドラム１６が図４及び図５の太線矢印の方向に勢いよく回動する。そして、この勢いのある回動によって、ドラム１６が振動することになり、ドラム１６に付着した塵芥Ｘが、ドラム１６のスクリーン１７から離れてスクレーパ１８に移動する。すなわち、塵芥付着によるスクリーン１７の目詰まりが解除されて、水流がドラム１６内部を通過するようになり、左側の側壁４ａからの越流も徐々になくなって、正常時の状態（図２の状態）に戻ることになる。なお、停止状態のドラム１６を強制的に回動させる動作は、左側の側壁４ａからの越流がある限り継続するので、図２に示す正常時の状態に戻るまで繰り返される。
【００３６】
そして、図４の破線に示すように、排水位置Ｂにおいて、水溜め部材２０の水が排水された後、水溜め部材２０は空状態になるので、つり合い部材２１の自重落下によって、排水位置Ｂから受水位置Ａに移動（復帰）するようになる。すなわち、水溜め部材２０は、つり合い部材２１の自重によって、左側の側壁４ａから越流する水を受水できる受水位置Ａに待機するように位置保持される（図４の実線を参照）。つまり、水溜め部材２０は、スタンバイ位置に戻ったことになる。
【００３７】
このように、本実施形態に係る除塵装置１５は、ドラム１６の回動が停止した際の側壁４ａからの越流を利用して、ドラム１６を急激に回動するようにしたので、簡単で、かつ、安価な構成で、スクリーン１７の目詰まりを防止できるとともに、ドラム１６の回動を再始動できるようになる。
【００３８】
なお、本発明に係る除塵装置は、前記実施の形態に限定することなく種々変更することができる。
【００３９】
例えば、前記実施形態の場合、円筒状のドラム１６の外周面に網体からなるスクリーン１７を固着するようにしたが、一対のリングと、該各リングの間に固着された網体からなるスクリーンとで構成するようにしてもよい。
【００４０】
また、前記実施形態の場合、水溜め部材２０を受水位置Ａに待機させるためのつり合い部材（つり合い錘）２１として、図６に示すつり合いバネ（弾性部材）からなるつり合い部材２１Ａを用いてもよい。
【００４１】
また、前記実施形態の場合、水路１を形成する両側の側壁４ａ，４ｂの高さを異なるようにしたが、同一高さにしてもよい。また、図７に示すように、左側の側壁４ａの上端部に、越流した水を排水できるように、溝６を形成してもよい。但し、この場合、水溜め部材２０を側壁４ａの間近で昇降させるため、第１ガイド筒２０１Ａは、断面が略半円形状であることが好ましい。要は、いずれか一方の側壁４ａ，４ｂから越流する水を水溜め部材２０で設定重量まで溜めることができる構成であればよい。
【００４２】
また、前記実施形態の場合、水路１を構成する左側の側壁４ａにつり合い部材２１を配置するようにしたが、図８に示すように、両側の側壁４ａ，４ｂの高さを同じにして、各側壁４ａ，４ｂに回動自在に支持された一対の水溜め部材２０Ａ，２０Ａを配置するようにしてもよい。該水溜め部材２０Ａ，２０Ａは、側壁４ａ，４ｂに沿うように形成された矩形状の上面開口部を有する水受け部２００Ａと、その反対側につり合い部材２１が配置されるバランス調整部２０２Ａとを備えている。また、水溜め部材２０Ａの水受け部２００Ａの先端部は、排水しやすいように傾斜している。そして、該水溜め部材２０Ａ，２０Ａは、側壁４ａ，４ｂから越流する水の重量と、つり合い部材２１，２１とのバランスによって、受水位置Ａと排水位置Ｂとを往復移動するようになるが、この往復移動は、シーソーのような構成、すなわち、軸Ｊを支点にして、つり合い部材２１の水受け部２００Ａと、その反対側につり合い部材２１が配置されるバランス調整部２０２Ａとが交互に昇降するようになっている。そして、下流側支柱３０２の滑車Ｋには、水溜め部材２０Ａ，２０Ａが昇降できるだけの長さの紐状体Ｒが巻き掛けられており、該滑車Ｋは、図示しない弾性部材によって、紐状体Ｒを巻き取る方向に常時付勢されている。
【００４３】
また、前記実施形態の場合、水力発電所の水槽３に設置される除塵装置１５を例にとって説明したが、用水路、排水路などに設置される除塵装置にも適用できることは言うまでもない。
【符号の説明】
【００４４】
１…水路、４ａ，４ｂ…側壁、１６…ドラム、１６２…支軸、１７…スクリーン、２０，２０Ａ…水溜め部材、２１，２１Ａ…つり合い部材、２５…操作機構部、３０…ドラム回動機構部、Ａ…受水位置、Ｂ…排水位置、Ｘ…塵芥
【図１】
2012144945.tif 000003
【図２】
2012144945.tif 000004
【図３】
2012144945.tif 000005
【図４】
2012144945.tif 000006
【図５】
2012144945.tif 000007
【図６】
2012144945.tif 000008
【図７】
2012144945.tif 000009
【図８】
2012144945.tif 000010